(57)【特許請求の範囲】
【請求項１】
互いにＬ字形を成す立ち片および横片を有し、かつ前記立ち片の内面に立て方向に沿う連結片が突出したいらか部下端接合金物を設け、この接合金物をいらか部下端の鉄骨材に前記立ち片の背面で当接させてこの立ち片を貫通するボルトにより取付け、前記いらか部下端接合金物の前記連結片に、妻面から内側に離れた中間屋根トラスとの接合用の垂直ブレースの下端と、ブレース受束の下端とを互いに重ねて、前記連結片を貫通するボルトで接合し、前記いらか部下端接合金物の前記横片に陸梁つなぎの端部と水平ブレースの端部とを重ねて、前記横片を貫通するボルトで接合したいらか部のブレース，陸梁つなぎ接合構造。
【発明の詳細な説明】
【０００１】
【産業上の利用分野】
この発明は、住宅やその他の鉄骨建物におけるいらか部のブレース，陸梁つなぎ接合構造に関する。
【０００２】
【従来の技術】
トラス架構の切妻屋根において、図１０に示すように、妻面のいらか柱４１とその内側に離れた山形の屋根トラス４２とを、陸梁つなぎ４３、垂直ブレース４９Ａ，４９Ｂ、および水平ブレース５１Ａ，５１Ｂ等で接合する場合がある。このような小屋組において、いらか部下端６０の接合構造を次の構成としたものがある。すなわち、陸梁つなぎ４３の端部を、図１１（Ｂ）のように延長状態に溶接したＬ字形の第１接合金物４５で、いらか柱４１の柱脚４７にボルト接合すると共に、陸梁つなぎ４３の上面に溶接したＴ字状の第２接合金物４４に、ブレース受束４８の下端と垂直ブレース４９Ａとをボルト接合している。
第１接合金物４５は、その立ち片４５をいらか柱柱脚４７にボルト４６で接合し、横片４５ａに水平ブレース５１Ａ，５１Ｂの端部をボルト５２で接合する。ブレース受束４８と垂直ブレース４９Ａとは、第２接合金物４４の立ち片４４ｂの両面に重ねてボルト５０で接合する。
【０００３】
【発明が解決しようとする課題】
しかし、上記構成では垂直ブレース４９Ａを陸梁つなぎ４３の端部に接合しているため、陸梁つなぎ４３をいらか柱４１に接合する第１接合金物４５に対して、図１３のように垂直ブレース４９Ａの引っ張り力Ｐが作用し、第１接合金物４５の横片４５ａが同図のように変形してしまう恐れがある。
また、２個の接合金物４４，４５を陸梁つなぎ４２に溶接するため、工場溶接において加工作業が複雑であり、手間がかかってコスト高になる。さらに、溶接の熱により陸梁つなぎ４３に膨張収縮が起きるという問題点がある。
【０００４】
この発明の目的は、ブレース張力による接合金物の変形の問題がなく、現場施工も容易で、また構成部材の工場生産性が良く、コスト低下が図れるいらか部のブレース，陸梁つなぎ接合構造を提供することである。
【０００５】
【課題を解決するための手段】
この発明のいらか部のブレース，陸梁つなぎ接合構造は、いらか部下端の鉄骨材に取付けられるいらか部下端接合金物を設け、この接合金物に陸梁つなぎ，ブレース受束，垂直ブレース，および水平ブレースを取付けることにより、陸梁つなぎを介さずに各部材を鉄骨材に取付けられるようにしたものである。いらか部下端の鉄骨材は、いらか柱の柱脚、軒桁、小屋受け柱の柱頭、またはこれらの部分を構成する箱形接合金物等である。
いらか部下端接合金物は、互いにＬ字形を成す立ち片および横片を有し、かつ前記立ち片の内面に立て方向に沿う連結片が突出したものとし、前記鉄骨材に、前記立ち片の背面で当接させてこの立ち片を貫通するボルトにより取付ける。いらか部下端接合金物の前記各片には各々ボルト挿通孔を設けておく。
いらか部下端接合金物の前記連結片には、垂直ブレースの下端と、ブレース受束の下端とを互いに重ね、これらの部材を、前記連結片を貫通するボルトで互いに接合する。いらか部下端接合金物の前記横片には、陸梁つなぎの端部と水平ブレースの端部とを重ね、これらの部材を、前記横片を貫通するボルトで互いに接合する。前記垂直ブレースは、妻面から離れた中間屋根トラスといらか部下端との接合用のものである。
【０００６】
【作用】
この接合構造によると、垂直ブレース、ブレース受束、および水平ブレースが、陸梁つなぎを介さずに直接にいらか部下端接合金物で鉄骨材に接合されるので、いらか部下端接合金物の各部や陸梁つなぎに無理な荷重が作用せず、堅固な接合が行える。例えば、垂直ブレースは、いらか部下端接合金物の立ち片の内面に立て方向に沿って突出した連結片に接合されるため、いらか部下端接合金物の他の部分にブレース張力の影響を与えず、鉄骨材で張力を受けることができる。また、水平ブレースも、いらか部下端接合金物の横片に接合されるため、この接合金物の他の部分にブレース張力の影響を与えず、鉄骨材で張力を受けることができる。
垂直ブレースとブレース受束とは、いらか部下端接合金物の同じ連結片に重ねてボルト接合し、また陸梁つなぎは水平ブレースと共にいらか部下端接合金物の横片にボルト接合するので、ボルト締め箇所が少なくて済み、施工性が良い。また施工に際して、予めいらか部下端接合金物をいらか柱の柱脚部等の鉄骨材に接合しておけば、後から陸梁つなぎを架ける作業が容易に行える。さらに、いらか部下端接合金物は陸梁つなぎと独立した部品として設けるので、陸梁つなぎは接合片等の溶接が不要で、孔加工だけで済み、工場生産性が良い。また、種々異なる長さの陸梁つなぎを準備することも容易で、原価低減が図れる。陸梁つなぎは、このように溶接が不要となることから溶接熱による膨張収縮も回避できる。
【０００７】
【実施例】
この発明の一実施例を図１ないし図８に基づいて説明する。この実施例のいらか部のブレース，陸梁つなぎ接合構造は、図７に示すトラス構造の小屋組におけるいらか部１に適用したものである。この小屋組は、妻面の小屋組部分３５を小屋グリッド柱であるいらか柱１５、合掌梁３６、および小屋受け柱３７で構築し、この妻面小屋組部分３５と平行に複数の中間屋根トラス２を配置して、棟梁３８および母屋３９を掛け渡したものである。棟部の下には、いらか柱１５とその隣の中間屋根トラス２の間において、下端に陸梁つなぎ５が設けられ、かつブレース受束４，１９（図６）を介して、くもブレースと呼ばれる一対の垂直ブレース３Ａ，３Ｂがクロス状に張られる。妻面の外壁面材３４は妻面小屋組部分３５の外側に設けられる。また、妻面小屋組部分３５の各柱１５，３７と隣の中間屋根トラス２の下端間には、複数の水平ブレース６Ａ，６Ｂがクロス状に張られる。この構成の小屋組において、同図に符号Ａで示すいらか部下端の各部材の接合構造を図１のように構成してある。
【０００８】
このいらか部下端の接合構造では、図２（Ａ），（Ｂ），（Ｃ）に平面図，正面図および側面図で各々示すいらか部下端接合金物７を用いる。この接合金物７は、互いにＬ字形に折れ曲がって繋がる立ち片７ａおよび横片７ｂを有し、かつその立ち片７ａの内面から連結片７ｃを立て方向に沿って突出させたものである。連結片７ｃは、下縁が傾斜辺となった先細りの台形状側面形状の板材からなり、立ち片７ａに基端で溶接する。いらか部下端接合金物７の立ち片７ａ，横片７ｂおよび連結片７ｃにはそれぞれボルト挿通孔８，９，１０を形成しておく。
いらか部下端接合金物７は、その立ち片７ａの背面を鉄骨材であるいらか柱１５の柱脚部１５ｂに当接させ、立ち片７ａを貫通するボルト１２およびナットで柱脚部１５ｂに接合する。いらか柱１５は角形鋼管からなり、柱脚部１５ｂは後述のように箱形接合金物で構成される。
【０００９】
いらか柱１５と中間屋根トラス２との間には、前記のように一対の垂直ブレース３Ａ，３Ｂが設けられるが、これら垂直ブレース３Ａ，３Ｂのうち、中間屋根トラス２の上端といらか部１の下端とを繋ぐ垂直ブレース３Ａの下端は、その羽子板状となった端板部が、いらか部下端接合金物７の連結片７ｃの片面に重ねられる。また、いらか柱１５の内側に沿って配置されるブレース受束４の下端は、連結片７ｃの他の片面に重ねられ、連結片７ｃを貫通するボルト１３によって、これら垂直ブレース３Ａの下端とブレース受束４の下端とが連結片７ｃに接合される。
【００１０】
いらか柱１５と中間屋根トラス２とを繋ぐ陸梁つなぎ５は、上向きのリップ溝形鋼等の形鋼からなり、一端がいらか部下端接合金物７の横片７ｂの上面に重ねられる。この金物７の両側の水平ブレース６Ａ，６Ｂは、その羽子板状の端部が、いらか部下端接合金物７の横片７ｂの下面に重ねられ、横片７ｂを貫通するボルト１４によって陸梁つなぎ５と共に横片７ｂに接合される。
いらか部１側のブレース受束４の上端は、図３（Ａ），（Ｂ）に側面図および平面図で示すように、いらか柱１５の柱頭部１５ａにボルト接合した接合金物１６に、垂直ブレース３Ｂの羽子板状の上端と共に重ねられ、ボルト結合される。すなわち、この接合金物１６は、互いにＴ字形に溶接等で固定された立ち片１６ａおよび連結片１６ｂを有し、立ち片１６ａの背面を前記柱頭部１５ａに当接させ、立ち片１６ａを貫通するボルト１７によって柱頭部１５ａに取付けられる。この接合金物１６の連結片１６ｂの片面に前記ブレース受束４の上端が重ねられ、他の片面には垂直ブレース３Ｂの上端が重ねられ、連結片１６ｂを貫通するボルト１８によって両部材３Ｂ，４の端部が連結片１６ｂに結合される。
【００１１】
図７に符号Ｂで示す中間屋根トラス２の下端部における垂直ブレース３Ｂと、ブレース受束１９，陸梁つなぎ５等の接合は図４のように行われる。すなわち、図４（Ａ），（Ｂ），（Ｃ）に平面図，側面図，正面図で示すように、陸梁つなぎ５のトラス側端部は、中間屋根トラス２の下端に溶接により取付けられた連結板２０上に重ねられ、連結板２０を貫通するボルト２１で接合される。陸梁つなぎ５のトラス側端部の上面には、図５（Ａ），（Ｂ）に平面図および側面図で示すように接合金物２２がその横片２２ｂで溶接により取付けられている。接合金物２２は、互いにＬ字形に繋がる立ち片２２ａおよび横片２２ｂを有し、かつその立ち片２２ａの内面に突出した連結片２２ｃを有するものである。この接合金物２２の連結片２２ｃの片面には前記垂直ブレース３Ｂの下端が重ねられ、その連結片２２ｃの他の片面に前記ブレース受束１９の下端が重ねられ、連結片２２ｃを貫通するボルト２３によって垂直ブレース３Ｂの下端とブレース受束１９の下端とが前記連結片２２ｃに接合される。
前記トラス側ブレース受束１９および垂直ブレース３Ａの各上端は、図６に示すように、中間屋根トラス２の上端に取付けられるＴ字形接合金物２４の連結片２４ｂの両面に重ねられ、連結片２４ｂを貫通するボルト２５によって接合される。
【００１２】
図８に示すように、前記いらか柱１５は、その下端が箱形の柱脚部１５ｂとされており、この柱脚部１５ｂにいらか部下端接合金物５が取付けられる。この箱形の柱脚部１５ｂは、ねじ締め作業時に内部に手等が入るように、一側面を開放した箱形とされ、各面にボルト挿通孔が予め形成されている。いらか柱１５を受ける下階のグリッド柱２６の上端は箱形の柱頭部２６ａとされており、その柱頭部２６ａの天端にガイド用両切ボルト２７や締付ボルト２８によって前記いらか柱１５の柱脚部１５ｂが接合される。グリッド柱２６の前記柱頭部２６ａにはＨ形鋼からなる軒梁２９がボルト３０によって接合される。
【００１３】
この接合構造によると、垂直ブレース３Ａ，３Ｂ、ブレース受束４、および水平ブレース６Ａ，６Ｂが、陸梁つなぎ５を介さずに直接にいらか柱１５の柱脚部１５ｂにいらか部下端接合金物７で接合されるので、陸梁つなぎ５に無理な荷重や曲げモーメントが作用せず、またいらか部下端接合金物７にも無理な荷重が作用せず、堅固な接合が行える。例えば、垂直ブレース３Ａ，３Ｂは、いらか部下端接合金物７の立ち片７ａの内面に立て方向に沿って突出した連結片７ｃに接合されるため、この金物７の他の部分にブレース荷重の影響を与えず、いらか柱１５で張力を受けることができる。連結片７ｃおよびその基端の溶接有効長さは、垂直ブレース３Ａ，３Ｂの引張力による偏心モーメントに対して十分に抵抗できる。また、水平ブレース６Ａ，６Ｂも、いらか部下端接合金物７の横片７ｂに接合されるため、この金物７の他の部分に引張力の影響を与えず、いらか柱１５で張力を受けることができる。
【００１４】
垂直ブレース３Ａ，３Ｂとブレース受束４とはいらか部下端接合金物７の同じ連結片７ｃに重ねてボルト接合し、また陸梁つなぎ５は水平ブレース６Ａ，６Ｂと共にいらか部下端接合金物７の横片７ｂにボルト接合するので、ボルト締め箇所が少なくて済み、施工性が良い。また、施工に際して、予めいらか部下端接合金物７をいらか柱１５に接合しておけば、後から陸梁つなぎ５を架ける作業が容易に行える。陸梁つなぎ５とブレース受束４とはいずれを先に接合しても良く、これによっても施工性が良くなる。さらに、いらか部下端接合金物７は陸梁つなぎ５と独立した部品として設けるので、陸梁つなぎ５は接合片等の溶接が不要で、孔加工だけで済み、工場生産性が良い。また、そのため陸梁つなぎ５につき、例えば基準長さＰのものと、その２倍の長さ２Ｐのもの等を準備する場合にも、単に長さの異なる形材を準備すれば良く、部品種類数の削減と原価低減が図れる。梁つなぎ５は、このように溶接が不要となることから溶接熱による膨張収縮も回避できる。
【００１５】
なお、前記実施例では、中間屋根トラス２側における垂直ブレース３Ｂ，ブレース受束１９，陸梁つなぎ５などの接合において、陸梁つなぎ５に溶接した別の接合金物２２を介して行ったが、いらか部下端接合金物７と同様な接合金物７′を用いて図９に示すように使用してもよい。すなわち、接合金物７′の連結片７ｃの両面に垂直ブレース３Ｂの下端とブレース受束１９の下端とを重ね、連結片７ｃを貫通するボルトで垂直ブレース３Ｂの下端とブレース受束１９の下端とを連結片７ｃに接合し、横片７ｂ上に重ねた陸梁つなぎ５の端部を、横片７ｂを貫通するボルト３２によって横片７ｂに接合するものである。接合金物７′の立ち片７ａは、この立ち片７ａを貫通するボルト３３によって中間屋根トラス２の下端部に接合する。この場合、両側の接合金物７，７′を陸梁つなぎ５に溶接する必要がないので、陸梁つなぎ５を単材とすることができ、陸梁つなぎ５が溶接熱により膨張収縮するのを一層確実に回避できる。
【００１６】
また、前記各実施例ではいらか部下端接合金物７をいらか柱１５の柱脚部１５ａに接合したが、いらか部下端接合金物７は、小屋組構造に応じて、いらか部下端の種々の鉄骨材に接合することができる。例えば、下方のグリッド柱２６の柱頭部２６ａに接合しても良く、また軒梁２９が通し梁となる場合は、軒梁２９上に設けた箱形接合金物や、軒梁２９自体に直接に接合するようにしても良い。
【００１７】
【発明の効果】
この発明のいらか部のブレース，陸梁つなぎ接合構造は、互いにＬ字形に繋がる立ち片および横片を有し、かつ前記立ち片の内面に連結片が突出したいらか部下端接合金物を設け、この金物を前記立ち片でいらか部下端の鉄骨材にボルト接合して取付け、前記連結片に、垂直ブレースの下端と、ブレース受束の下端とを互いに重ねてボルトで接合し、前記横片に陸梁つなぎの端部と水平ブレースの端部とを重ねてボルト接合したため、垂直ブレースと陸梁つなぎと水平ブレースとを一つの金物で鉄骨材に無理なく接合できて、ブレース張力による接合金物の変形や陸梁つなぎの曲げモーメント負荷の問題がなく、現場施工も容易で、また構成部材の工場生産性が良く、コスト低下が図れる。しかも、溶接熱による陸梁つなぎの膨張収縮も回避できる。
【図面の簡単な説明】
【図１】（Ａ）はこの発明の一実施例であるいらか部のブレース，陸梁つなぎ接合構造の斜視図、（Ｂ）は同接合構造の正面図である。
【図２】（Ａ）〜（Ｃ）は、各々同接合構造に使用される接合金物の平面図，正面図および側面図である。
【図３】（Ａ）は同いらか部における上端の接合構造を示す側面図、（Ｂ）は同接合構造の平面図である。
【図４】（Ａ）〜（Ｃ）は山形トラスの下端部における接合構造を示す平面図，側面図および正面図である。
【図５】（Ａ），（Ｂ）は各々実施例の接合構造に使用する陸梁つなぎの平面図および側面図である。
【図６】実施例の接合構造の全体構成を示す側面図である。
【図７】実施例の接合構造が適用される切妻屋根の小屋組を示す斜視図である。
【図８】実施例のいらか柱の周辺を示す分解斜視図である。
【図９】中間屋根トラスの下端における接合構造の変形例を示す側面図である。
【図１０】従来例の全体構造を示す側面図である。
【図１１】（Ａ）〜（Ｃ）は各々従来例の平面図，側面図および正面図である。
【図１２】（Ａ），（Ｂ）は従来例における陸梁つなぎの平面図および側面図である。
【図１３】従来例の問題点を示す説明図である。
【符号の説明】
１…いらか部、２…中間屋根トラス、３Ａ，３Ｂ…垂直ブレース、４…垂直ブレース用受束、５…陸梁つなぎ、６Ａ，６Ｂ…水平ブレース、７，７′…いらか部下端接合金物、７ａ…立ち片、７ｂ…横片、７ｃ…連結片、８〜１０…ボルト挿通孔、１２〜１４，２１，２３，３１，３３…ボルト、１５…いらか柱、１５ｂ…柱脚部、３４…ＡＬＣ外壁板
【図１】
0003547020.tif 000002
【図２】
0003547020.tif 000003
【図３】
0003547020.tif 000004
【図４】
0003547020.tif 000005
【図５】
0003547020.tif 000006
【図６】
0003547020.tif 000007
【図７】
0003547020.tif 000008
【図８】
0003547020.tif 000009
【図９】
0003547020.tif 000010
【図１０】
0003547020.tif 000011
【図１１】
0003547020.tif 000012
【図１２】
0003547020.tif 000013
【図１３】
0003547020.tif 000014